(57)【要約】【課題】従来の学習用出版物や、市販されている色ペン／マーカと色シートは、それぞれ専用の組み合わせが決まっていて、専用のものを使わないと、効果が出ず視認できてしまう場合がある。【解決手段】色パッチを配置したテストシート（４００）を印刷する印刷手段（５０、５０２）と、前記テストシートの色パッチが配置された側に特定波長域の可視光線を透過する色シート（９００）を重ねた状態で前記テストシートの画像を読み取る読み取り手段（３０、５０１）と、前記読み取り手段にて読み取った第一のテストシートにおける色パッチの色または濃度に基づいて、ユーザが所望する色または濃度であるか否かを判定する判定手段と、画像を印刷するための色または濃度に対する、インクまたはトナー色材の配分量を演算する演算手段とを具備する。【選択図】  図１
2011071661.tif 000002
【特許請求の範囲】
【請求項１】
色パッチを配置したテストシートを印刷する印刷手段と、
前記テストシートの色パッチが配置された側に特定波長域の可視光線を透過する色シートを重ねた状態で前記テストシートの画像を読み取る読み取り手段と、
前記読み取り手段にて読み取った第一のテストシートにおける色パッチの色または濃度に基づいて、前記テストシートに配置したいずれの色パッチが、ユーザが所望する色または濃度であるか否かを判定する判定手段と、
画像を印刷するための色または濃度に対する、インクまたはトナー色材の配分量を演算する演算手段と
を有し、
前記判定手段にて、いずれかの色パッチが、ユーザが所望する色または濃度であると判定された場合、前記印刷手段は、当該色パッチに応じて前記演算手段により演算した当該色または濃度に対するインクまたはトナー色材の配分量で画像を形成して印刷することを特徴とする画像形成装置。
【請求項２】
前記判定手段にて、ユーザが所望する色または濃度でないと判定された場合、
前記ユーザが所望する色または濃度と、前記読み取り手段にて読み取った色または濃度との差分が所定の閾値以内であれば、前記印刷手段は、前記読み取り手段にて読み取った色または濃度に応じて、当該色パッチの色または濃度を変更した第二のテストシートを印刷し、
当該閾値より大きければ、ユーザが所望する色を印刷するための出力が不可である旨を表示する
ことを特徴とする請求項１に記載の画像形成装置。
【請求項３】
前記判定手段は、前記読み取り手段にて読み取ったユーザが所望する色パッチの色または濃度と、色パッチ以外の部分の色または濃度との差分において、最も差分が小さくなる色または濃度を有する色パッチを用いて判定し、
前記印刷手段は、前記読み取り手段にて読み取った最も差分が小さくなる色または濃度に応じて、前記色パッチの色または濃度を変更した第二のテストシートを印刷する
することを特徴とする請求項１または２に記載の画像形成装置。
【請求項４】
第一の色パッチを配置したテストシートと、第二の色パッチを配置した特定波長域の可視光線を透過するテスト色シートを印刷する印刷手段と、
前記印刷手段により印刷された第一のテストシートの第一の色パッチが配置された側に前記印刷手段により印刷された第一のテスト色シートを重ねた状態で画像を読み取る読み取り手段と、
前記読み取り手段にて読み取った画像における色パッチの色または濃度に基づいて、前記テストシートに配置したいずれの色パッチが、ユーザが所望する色または濃度か否かを判定する判定手段と、
画像または色シートを印刷するための色または濃度に対する、インクまたはトナー色材の配分量を演算する演算手段と
を有し、
前記判定手段にて、ユーザが所望する色または濃度であると判定された場合、前記印刷手段は、前記演算手段によって演算した当該第二の色パッチにおける色または濃度に対するインクまたはトナー色材の配分量で色シートを印刷する
ことを特徴とする画像形成装置。
【請求項５】
前記判定手段にて、ユーザの所望する色または濃度でないと判定された場合、前記ユーザが所望する色または濃度と、前記読み取り手段にて読み取った色または濃度との差分が所定の閾値以内であれば、前記印刷手段は、前記読み取り手段にて読み取った色または濃度に応じて、前記第一の色パッチ及び前記第二の色パッチの色または濃度を変更した第二のテストシート及び第二のテスト色シートを印刷することを特徴とする請求項４に記載の画像形成装置。
【請求項６】
画像形成装置の印刷手段が、色パッチを配置したテストシートを印刷する印刷工程と、
画像形成装置の読み取り手段が、前記テストシートの色パッチが配置された側に特定波長域の可視光線を透過する色シートを重ねた状態で前記テストシートの画像を読み取る読み取り工程と、
画像形成装置の判定手段が、前記読み取り工程にて読み取った第一のテストシートにおける色パッチの色または濃度に基づいて、前記テストシートに配置したいずれの色パッチが、ユーザが所望する色または濃度であるか否かを判定する判定工程と、
画像形成装置の演算手段が、画像を印刷するための色または濃度に対する、インクまたはトナー色材の配分量を演算する演算工程と
を有し、
前記判定工程にて、ユーザが所望する色または濃度であると判定された場合、前記印刷工程は、前記演算工程によって演算した当該色または濃度に対するインクまたはトナー色材の配分量で画像を形成して印刷する
ことを特徴とする制御方法。
【請求項７】
コンピュータを、
色パッチを配置したテストシートを印刷する印刷手段と、
前記テストシートの色パッチが配置された側に特定波長域の可視光線を透過する色シートを重ねた状態で前記テストシートの画像を読み取る読み取り手段と、
前記読み取り手段にて読み取った第一のテストシートにおける色パッチの色または濃度に基づいて、前記テストシートに配置したいずれの色パッチが、ユーザが所望する色または濃度であるか否かを判定する判定手段と、
画像を印刷するための色または濃度に対する、インクまたはトナー色材の配分量を演算する演算手段と
して機能させ、
前記判定手段にて、ユーザが所望する色または濃度であると判定された場合、前記印刷手段は、前記演算手段によって演算した当該色または濃度に対するインクまたはトナー色材の配分量で画像を形成して印刷する
ことを特徴とするプログラム。
【発明の詳細な説明】
【技術分野】
【０００１】
本発明は、特定波長域の可視光線を透過する特性を有する色シートを透過して目視した際に、視認し難くなるかまたは所望の濃度に見えるような画像を形成する画像形成装置、制御方法、及びプログラムに関する。
【背景技術】
【０００２】
従来から行われている人の学習方法の１つに、文書の重要事項部分を、色マーカで塗り、マーカ色と補色関係にある色のシートで覆って、重要事項の文字部分を含むマーカ部分を視認し難くして、覚えたかどうかを確認しながら記憶する方法がある。また、文字と同系色のシートを重ねて、そのシートの色に紛れて文字を視認し難くする方法もある。
【０００３】
例えば、特許文献１では、文字色と同系色のシートを重ねると文字が紛れて隠れ、文字のまわりの地色と補色の関係にある色のシートを重ねると文字を含む地色の部分が黒くなり文字が視認し難くなくなる学習教材が提案されている。また、上記と同様な効果を提供する、色ペン／マーキングペンと色シートがセットになった文房具が市販されている。
【０００４】
一方、画像形成装置を使った学習テキストを作成するものとして、特許文献２が提案されている。暗記すべき重要事項にマーキングすると、そのマーキング部の画像を原稿より抜き取り、原稿画像の複写物と同一ページの別の場所に移動させて印字するものである。
【先行技術文献】
【特許文献】
【０００５】
【特許文献１】特開平１１−２０２７４８号公報
【特許文献２】特開２００６−１２１２０５号公報
【発明の概要】
【発明が解決しようとする課題】
【０００６】
しかしながら、先行技術では、学習教材は印刷物本体と色シートが組み合わされて提供され、また、市販の文房具も、色ペン／マーカと色シートがセットになっている。これは、視認し難くなる文字色および地色と重ねる色シートの組み合わせ色は決まっていて、専用の組み合わせで使用しなければないからである。組み合わせ以外の印刷色、色ペン／マーカまたは色シートを使用すると、“文字が隠れる”効果が弱くなり、視認できてしまう場合がある。
【０００７】
一方、前述の市販文房具にて、自分で上記テキストを作成するには、黒く隠したい部分は、色シートと補色関係にあるマーカで、隠したい部分を含む下地を塗りつぶさなければならない。また、色シートに紛れて隠れる部分は同系色の文字で書かなければならない。もし文字等が別の色で書かれている場合は、例えば、その文字等を一旦白の修正液で消してから、色シートと同系色のペンで書き直さなければならず、その作業に労力を必要とする。また、特許文献２に記載の画像形成装置では、抜き出した画像はマーキング部から離れて印刷され、マーキング部は穴空き状態となるため、別レイアウトの文書になってしまう。
【課題を解決するための手段】
【０００８】
本発明は上記の課題を解決するために以下の構成を有する。色パッチを配置したテストシートを印刷する印刷手段と、前記テストシートの色パッチが配置された側に特定波長域の可視光線を透過する色シートを重ねた状態で前記テストシートの画像を読み取る読み取り手段と、前記読み取り手段にて読み取った第一のテストシートにおける色パッチの色または濃度に基づいて、前記テストシートに配置したいずれの色パッチが、ユーザが所望する色または濃度であるか否かを判定する判定手段と、画像を印刷するための色または濃度に対する、インクまたはトナー色材の配分量を演算する演算手段とを有し、前記判定手段にて、ユーザが所望する色または濃度であると判定された場合、前記印刷手段は、前記演算手段によって演算した当該色または濃度に対するインクまたはトナー色材の配分量で画像を形成して印刷し、前記判定手段にて、ユーザが所望する色または濃度でないと判定された場合、前記ユーザが所望する色または濃度と、前記読み取り手段にて読み取った色または濃度との差分が所定の閾値以内であれば、前記印刷手段は、前記読み取り手段にて読み取った色または濃度に応じて、色パッチの色または濃度を変更した第二のテストシートを印刷することを特徴とする。
【発明の効果】
【０００９】
本発明によれば、ユーザが持っている任意の透明色シートを用いて隠れる印字色の画像を作成可能となる。また、従来の“色シートに紛れて隠れる”モードと、“色シートで黒くなり隠れる”モード以外に色シートを重ねて“所望の濃度（隠れ具合）に見える”画像も作成可能となる。さらに、コピーとほぼ同様な操作で、隠れる印字色の画像を作成可能となり、任意の画像形成装置において、精度良く隠れる印字色の画像を作成可能である。
【図面の簡単な説明】
【００１０】
【図１】本実施形態に係る画像形成装置の基本動作フロー図。
【図２】本実施形態に係る画像形成装置の構成ブロック図。
【図３】本実施形態に係るの色演算処理の詳細フロー図。
【図４】本実施形態に係るテストシートの例の図。
【図５】第二の実施形態に係るシステム構成ブロック図。
【図６】第二の実施形態に係るシステム基本動作フロー図。
【図７】第三の実施形態に係る色演算処理の詳細フロー図。
【図８】第四の実施形態に係る色演算処理の詳細フロー図。
【図９】本実施形態に係るテストシート及び色シートを説明するための図。
【図１０】本実施形態に係る結果画像例の図。
【図１１】第四の実施形態に係るテストシートと透過シートの印刷例の図。
【発明を実施するための形態】
【００１１】
以下、本発明を実施するための最良の形態について図面を用いて説明する。
【００１２】
＜第一の実施形態＞
［システム構成］
まず、紙原稿の指定箇所を、図９にて示している色シート９００を重ねて目視した際に“所望の色または濃度に見える印字色”に変換して印刷する場合を説明する。なお、色シート９００は特定波長域の可視光線を透過する透明な色シートである。図２は、本発明の第一の実施形態を適用可能な画像形成装置の構成を示すブロック図である。ホストコンピュータ１０は、画像形成装置のプリント機能を使用して文書を印刷する場合に、画像データを送信するものである。インタフェースケーブル６０は、ホストコンピュータ１０と本画像形成装置を接続している。インタフェースケーブル６０は、ＵＳＢケーブル、ネットワークケーブル、無線ＬＡＮ機器等を使用するがこれに限定されるわけではない。操作手段２０は、キ−入力部（不図示）と画像表示部（不図示）とから成り、ユーザからの操作指示を受け付け、画像形成装置の情報をユーザに表示する機能を担う。読み取り手段３０は、原稿台（不図示）に積置された原稿の画像を光学的に読み取る。制御手段４０は、本画像形成装置における各処理の制御を行う。印刷手段５０は、本画像形成装置にて形成された画像を、記録媒体に印字して出力する。ここでの記憶媒体の例として、紙などが挙げられる。
【００１３】
図２の画像形成装置は、ホストコンピュータ１０より送信された画像データを、制御手段４０で処理し印刷手段５０にて出力するプリンタ機能を有する。さらに、読み取り手段３０にて読み取った画像を印刷手段５０にて複製出力するコピー機能、読み取り手段３０にて読み取った画像をホストコンピュータ１０に取り込むスキャナ機能を合わせ持つ。次に、制御手段４０の細部について説明する。ホストＩ／Ｆ４１は、ホストコンピュータ１０とのデータインタフェースであり、コネクタ、データバッファから成り立っている。操作手段Ｉ／Ｆ４２は、操作手段２０を介してユーザが入力したキー情報、ユーザに提示する情報の出し入れを行うためのインタフェースであり、コネクタ、データバッファから成り立っている。スキャナＩ／Ｆ４３は、読み取り手段３０より読み取った画像情報の送受信を行うためのインタフェースであり、コネクタ、データバッファから成り立っている。ＣＰＵ４４は、中央演算装置であり、他のブロックとバス４８を介して接続され、各ブロック間にデータ、命令を伝達して、本画像形成装置を制御する。ＲＯＭ４５には、ＣＰＵ４４のプログラム、文字フォント等のデータを記憶しておく。ＲＡＭ４６は、各種データ、画像を一時的に記憶しておくワークエリアで、各種の演算を行う。プリンタＩ／Ｆ４７は、印刷手段５０にて印刷する画像情報を送受信するためのインタフェースであり、コネクタ、データバッファから成り立っている。
【００１４】
［画像形成装置の基本動作］
次に、図２の画像形成装置の基本動作を、図１のフローチャートにて説明する。まず、電源が立ち上がると、制御手段４０は、Ｓ１０１にて、装置全体の初期設定を行う。具体的には、制御手段４０は、ＲＡＭ４６のクリア、各種Ｉ／Ｆ４１、４２、４３、４７のバッファのクリアを行い、ＣＰＵ４４のプログラムを、ＲＯＭ４５よりロードする。続いて、制御手段４０は、読み取り手段３０、印刷手段５０に、初期化、立ち上げ動作の指示を出す。読み取り手段３０、印刷手段５０の動作準備が整ったことを検知したら、制御手段４０は、次のＳ１０２に移る。Ｓ１０２で制御手段４０は、ホストＩ／Ｆ４１を通じて、ホストコンピュータ１０からの入力信号を待つ。入力信号を検知した場合、制御手段４０はＳ１０３に進む。Ｓ１０３で制御手段４０は、入力された信号を解釈して、例えば、画像の印刷等、指示された動作処理を行う。処理後、制御手段４０は、再びＳ１０２に戻り、ホストコンピュータ１０からの次の入力信号を待つ。Ｓ１０２にて入力信号が検知できない場合制御手段４０は、Ｓ１０４に移る。Ｓ１０４では操作手段Ｉ／Ｆ４２を通じて、操作手段２０からのキー入力信号を待つ。入力信号が無い場合制御手段４０は、Ｓ１０２の入力信号待ちに戻る。Ｓ１０４にて入力信号がある場合制御手段４０は、Ｓ１０５に進む。
【００１５】
Ｓ１０５で制御手段４０は、Ｓ１０４にて入力された操作手段２０からの信号の内容を解釈し、本実施形態による動作（以下、便宜上、色シート処理とする）を行う指示か否かを判定する。色シート処理の動作指示でない場合、制御手段４０はＳ１０６に進み、色シート処理の動作指示の場合はＳ１０９に進む。Ｓ１０６に進んだ場合制御手段４０は、通常の画像形成装置の動作指示と判定し、本実施形態ではコピー動作かスキャン動作かを判定する。そして、スキャン動作が指示された場合、制御手段４０はＳ１０７に進み、指示されたスキャン動作を行う。動作後、制御手段４０はＳ１０２に戻り、次の入力信号を待つ。Ｓ１０６にて、コピー動作が指示された場合制御手段４０は、Ｓ１０８に進み、指示されたコピー動作を行う。動作後、制御手段４０はＳ１０２に戻り、次の入力信号を待つ。
【００１６】
Ｓ１０５にて、色シート処理に対する動作指示と判定した場合、制御手段４０はＳ１０９に進み、さらに、“色シートを登録する”指示か、“色変換済みのテキストを印刷する”指示か否かを判定する。ここで、色シートを登録する場合、色シート９００を読み取り、印字色を決定するために制御手段４０はＳ１１０に進む。Ｓ１１０において制御手段４０は、ユーザに色シート９００を準備するように操作手段２０に表示し、ユーザと対話形式にて操作方法の指示を行う。次にＳ１１１で制御手段４０は、印刷手段５０にテストシート４００を印刷する指示を出し、印刷手段５０はテストシート４００を印刷する。テストシート４００の詳細については図４を用いて後述する。次に、Ｓ１１２において制御手段４０は、Ｓ１１１にて印刷したテストシート４００と、予めユーザが準備している色シート９００とを重ねた状態で、読み取り手段３０に積置するように、ユーザに指示する。ここで、操作手段２０に操作方法を表示する例を図９に示す。図９（１）は色シート登録のために必要となるものであり、図９（２）は重ね方の指示である。テストシート４００はＳ１１１にて出力し、色シート９００はユーザが利用するものを準備する。そして、制御手段４０は、ユーザによって読み取り準備ができたことを検知した後、テストシート４００及び色シート９００を重ねた画像を読み込み、ＲＡＭ４６に記憶する。次にＳ１１３で制御手段４０は、ＲＡＭ４６に記憶した画像より、色シート９００を重ねて“所望の色または濃度に見える印字色”を演算する。“所望の色または濃度に見える印字色”を演算した後、制御手段４０は、読み込んだ色シート９００単体の色とともに、“所望の色または濃度に見える印字色”をＲＡＭ４６に記憶して、Ｓ１０２に戻る。なお、“所望の色または濃度に見える印字色”を演算する動作に関しての詳細は図３を用いて後述する。
【００１７】
Ｓ１０９にて、“色変換済みのテキストを印刷する”指示と判定した場合、制御手段４０はＳ１１４に進む。Ｓ１１４で制御手段４０は、ユーザに対し印字色を変換する箇所を指定した原稿を準備するように操作手段２０に表示して、操作方法の指示を行う。ここで、印字色を変換する箇所を指定させる方法は既存の技術を使い、例えば所望の箇所に色マーキングさせる。制御手段４０は、次にＳ１１５で色変換する印字色は決まっているか、すなわち、重ねて目視する色シート９００は登録済みか否かをユーザに指示させる。ここで、色変換する印字色が未登録の場合、制御手段４０はユーザに先に色シート９００を登録するように指示を操作手段２０に表示してＳ１０９に戻る。この場合、ユーザは上述したＳ１１０乃至Ｓ１１３の処理にて印字色を登録することとなる。Ｓ１１５にて、印字色が登録済みであると判定された場合、制御手段４０は、Ｓ１１６に進み、ユーザに印字色を変換する箇所を指定した原稿を、読み取り手段３０に積置するようにユーザに指示する。そして、読み取り準備ができたことを検知後、原稿である画像を読み込む。そして、制御手段４０は、読み込んだ画像をＲＡＭ４６に記憶する。次にＳ１１７にて、制御手段４０はＲＡＭ４６に記憶した画像より、色変換する箇所を指定したマーキング部分を検出する。マーキング部分を検出する方法は、例えば特許文献の特開平５−１２２４９８号公報に開示されている。検出したマーキング部分の画像よりマーキングを取り除いた画像は、Ｓ１１３にて登録した“所望の色または濃度に見える印字色”に変換し、印刷手段５０に印字する指示を出す。そして印刷手段５０は、指示された箇所を“所望の色または濃度に見える印字色”に変換した画像を印刷する。動作終了検知後、制御手段４０は、Ｓ１０２に戻り、次の入力信号を待つ。
【００１８】
［パッチパターン］
ここで、本実施形態によるテストシート４００のパッチパターン例を図４にて説明する。本実施形態では、パッチ、もしくは色パッチと記載する。図４は本実施形態によるテストシート４００の出力例である。なお、説明のため模式的に単純化している。ここでは、テストシートに各パッチが配置されている。パッチ４０１Ｙは、イエロー単色の色パッチであり、濃度を段階的に変えて印字したものである。本実施形態では５段階で表示している。パッチ４０１Ｍは、同様なマゼンタ単色の色パッチ、パッチ４０１Ｃは、同様なシアン単色の色パッチである。ここで、パッチの色は、色相環を表現するほど多色であっても良いし、また、色シート９００の概略の色をユーザに入力させて、ＲＡＭ４６に記憶されたデータから同系色のデータを探して対応できそうな範囲の色を印字しても良い。また一度、色シート９００のみを読み取り手段３０にて読み取り、同様に対応できそうな範囲の色を印字しても良い。なお、パッチの濃度変化は細かく段数が多いほど精度が上がる。
【００１９】
チャート４０２Ａ、チャート４０２Ｂ、及びチャート４０２Ｃは、一般的な解像度チャートとして、太さと間隔を段階的に変化させた黒線を並べて印字したものである。色シート９００を透過してテストシート４００を読み取るため、色シート９００の透明度、表面の乱反射等により、テストシート４００の読み取り解像度、分解能が低下する可能性がある。その程度を調べるためのものである。例えば画像電子学会のファクシミリチャートのように、各種サイズの文字を印字してどのサイズまで判読可能かで解像度を表現することと同様である。そして、前述のＳ１１３において、同時に、制御手段４０が、本チャート４０２Ａ、４０２Ｂ、及び４０２Ｃを読み取り、ある閾値以下の解像度の場合は、該当の色シート９００は使用不可と判定することも可能となる。また、マーキング４０３は読み取り時に位置合わせを行うために用いられる。なお、ここで示したテストシートの構成は一例であり、配置等をこれに限定するものではない。
【００２０】
［色シート登録処理（詳細）］
次に、“所望の色または濃度に見える印字色”を演算する方法のうち、色シート９００に紛れて“隠れる印字色“を演算する詳細を図３のフロー図を用いて説明する。ここでの“隠れる”とは、人が目視した場合、視認しがたい状態になることを指す。図１のＳ１１０からＳ１１３の処理をより詳細に説明するものである。図３において、制御手段４０は、まずＳ３０１において、ユーザへ色シート９００登録動作の説明を操作手段２０に表示し、さらに、色シート９００を準備するようにユーザに指示する。次にＳ３０２にて、制御手段４０はテストシート４００を出力する。次にＳ３０３で制御手段４０は、出力したテストシート４００に、ユーザの準備した色シート９００を重ねて読み取り手段３０に積置するようにユーザに指示する。そして、ユーザが読み取り準備ができた旨の指示を、操作手段２０等を介して受信するのを待つ。ユーザの準備ができた旨の指示が検知できるまで、制御手段４０は本動作を繰り返す。ユーザから準備ができた旨の指示を検知したら、制御手段４０はＳ３０４に進む。Ｓ３０４では、制御手段４０は読み取り手段３０より、テストシート４００と色シート９００とを重ねた状態で画像を読み込み、ＲＡＭ４６に記憶する。次にＳ３０５にて、制御手段４０は、ＲＡＭ４６に記憶した画像のパッチ４０１Ｙ、４０１Ｍ、及び４０１Ｃと、色パッチ以外である地の部分の画像読み取り値を、それぞれ比較してそれぞれの色の差分情報である色差を演算し、最小値を特定する。さらに、Ｓ３０６で制御手段４０は、色差最小のパッチが、色差がないパッチであるか判定する。つまり、地の部分の色とパッチがある部分の色が同一もしくは略同一であり、差分が無いことを意味する。ここで色差が無いとは、例えば色差ΔＥ１が以下である。もちろん“隠れる”目的を達するならばΔＥは３程度でもよい。もしここで、色差がないパッチである場合（Ｓ３０６にてＹｅｓ）は、Ｓ３０８に進み、該当するパッチを印字した色を“隠れる印字色”と特定する。この特定により、色を再現するためのインクまたはトナー色材の配分量を決定する。なお、ここで“隠れる印字色”が複数見つかった場合は、制御手段４０は、テストシート４００出力時に印字したパッチの濃度値（グレイスケール）を以下の式にて算出して、濃度のもっとも濃い印字色を選ぶ。
【００２１】
濃度値（グレイスケール）＝０．２９９Ｒ＋０．５８７Ｇ＋０．１１４Ｂ
（なお、ＲはＲｅｄ成分、ＧはＧｒｅｅｎ成分、ＢはＢｌｕｅ成分を示す）
また、“隠れる印字色”が複数見つかった場合は、操作手段２０に複数の候補色を提示してユーザに選択させても良い。次に、Ｓ３０９で制御手段４０は、Ｓ３０８にて決定した“隠れる印字色”と、パッチのない地の部分の画像読み取り値を、読み取った色シート９００の色として対応させて、ＲＡＭ４６に記憶する。登録が終了したら、制御手段４０は、本動作フローを終了する。
【００２２】
一方、Ｓ３０６にて色差が最小であっても色差がある場合（Ｓ３０６にてＮｏ）、制御手段４０は、Ｓ３０７に進み、予め決めておいた閾値以内（以下、許容値）か否かを演算する。ここで、色差が予め決めておいた許容値内のパッチである場合（Ｓ３０７にてＹｅｓ）、制御手段４０は、Ｓ３１０に進み、該当するパッチを印字した色を“隠れる印字色候補”と決定する。さらに、Ｓ３１１で制御手段４０は、“隠れる印字色候補”のパッチ出力色と、それに近い色相の色（当然ＣＭＹの混色の場合も有る）、さらにやや薄い色を算出し、それらの色をパッチとして変更した第二のテストパターンを作成する。ここでの第二のテストパターンにて出力する色は、色差から決定してもよいし、画像形成装置が出力可能な範囲の中から、段階的に決定してもよい。そして制御手段４０はＳ３０２に戻り、第二のテストパターンを用いて新規に作成したテストシート４００を出力する。便宜上、はじめに印刷したテストシートを第一のテストシートとすると、ここで印刷するテストシートは第二のテストシートとなる。その後、制御手段４０はＳ３０３以降の動作を繰り返す。この繰り返しにより、ユーザが所望する色を精度よく再現するために、試行錯誤的に色を決定していくこととなる。また、Ｓ３０７にて、色差が予め決めておいた許容値内のパッチでない場合（Ｓ３０７にてＮｏ）、制御手段４０は、Ｓ３１２に進み、“隠れる印字色候補”がないと判定する。そして制御手段４０は、Ｓ３１３にてユーザに、読み込んだ色シート９００に対応する“隠れる印字色”が形成できない旨を、操作手段２０に表示して、ユーザに通知する。その後、制御手段４０は本動作フローを終了する。なお、出力結果については、図１０を用いて後述する。なお、上記において、Ｓ３０６は色差があるか否かを基準として判定し、Ｓ３０７においては、所定の許容値を用いて判定している。しかし、Ｓ３０６においても色差が無いとみなせる程度の許容値を定義しておき、判定してもよい。
【００２３】
以上により、ユーザが持っている任意の透明色シートを用いて隠れる印字色の画像を作成可能となる。また、コピーとほぼ同様な操作で、読み取った画像に対して隠れる印字色の画像を作成可能となる。さらには、任意の画像形成装置において、精度良く隠れる印字色の画像を作成可能となる。
【００２４】
＜第二の実施形態＞
次に、ホストコンピュータ１０内にある電子文書の指定箇所を、色シート９００を重ねて目視した際に“所望の色または濃度に見える印字色”に変換してプリントする第二の実施形態について説明する。つまり、第一の実施形態では、読み取り手段にて読み取った画像に対して隠れる印字色となる処理を行なったが、第二の実施形態では、ホストコンピュータが保持する画像データを対象として処理を行なうこととなる。図５は、第二の実施形態である画像形成システムの構成を示すブロック図である。図５において、本実施形態では、読み取り手段５０１はスキャナ、印刷手段５０２はプリンタ、１０はホストコンピュータであり、一般に市販されている装置である。なお、ホストコンピュータ１０は本実施形態によるプログラムをインストールされているものとする。ケーブル５０３はそれぞれ装置間を接続し、ＵＳＢケーブル、ＬＡＮケーブル、無線ＬＡＮ機器等が使用される。
【００２５】
［画像形成システムの動作フロー］
図６は、図５に示した構成の画像形成システムの動作を説明するフロー図である。まず、ホストコンピュータ１０は、本実施形態に係る動作がユーザにより選択されたことを検知すると、Ｓ６０１にて、本動作の説明をホストコンピュータ１０上の表示部（不図示）に表示する。特に、前準備として、色シート９００と、色シート９００を重ねて目視したときに“所望の色または濃度に見える”箇所に印をつけた電子文書をユーザに用意するように、ホストコンピュータ１０は表示を行う。なお、“所望の色または濃度に見える”箇所に付ける印としては、例えば、色文字、イタリック体、影付き文字、色反転文字等、修飾文字で指定する方法や、矩形線で囲む等、変更する箇所の画像属性を変更しておく方法がある。ホストコンピュータ１０は、これらの準備が整っていることをユーザに表示部を介して通知した後、Ｓ６０２に進み、テストシート４００のパッチパターンを作成する。次に、ホストコンピュータ１０はＳ６０３にてテストシート４００の画像データを、接続するケーブル５０３を介して印刷手段５０２に送信する。そして、印刷手段５０２は、Ｓ６０４にて受信した画像データ、すなわちテストシート４００を出力する。テストシート４００の出力が終了したら、印刷手段５０２は、Ｓ６０５にて印刷終了通知を、ホストコンピュータ１０に送信する。Ｓ６０６にて、テストシート４００の印刷終了通知を受信したホストコンピュータ１０は、Ｓ６０７に進む。Ｓ６０７で、ホストコンピュータ１０は、印刷手段５０２で印刷したテストシート４００に、色シート９００を重ねて、読み取り手段５０１の原稿読み取り部に置き、画像読み取りを開始するように、ユーザに指示する。Ｓ６０８にて、ユーザからの画像読み取り開始指示を検知した読み取り手段５０１は、原稿を読み取る。Ｓ６０９にて読み取り手段５０１は原稿読み取りが終了したら、読み取り画像データと終了通知をホストコンピュータ１０に送信する。Ｓ６１０にてホストコンピュータ１０は、読み取り手段５０１より画像データと終了通知を受理する。次に、ホストコンピュータ１０は、Ｓ６１１にて受理した画像データより、第一の実施形態と同様な方法により、“所望の色または濃度に見える印字色”を判定する。ホストコンピュータ１０は、Ｓ６１２で、印をつけられた電子文書の指定箇所の印字色を判定した“所望の色または濃度に見える印字色”にて置き換える。ホストコンピュータ１０は、Ｓ６１３で、印字色を置き換えた電子文書の画像データを印刷手段５０２に送信する。Ｓ６１４にて印刷手段５０２は受信した画像データを印刷する。画像データの印刷が終了したら、印刷手段５０２は、Ｓ６１５にて印刷終了通知を、ホストコンピュータ１０に送信する。Ｓ６１６にて、テキストの印刷終了通知を受信したホストコンピュータ１０は本動作を終了する。なお、出力結果については、図１０を用いて後述する。
【００２６】
以上により、ユーザが持っている任意の透明色シートを用いて隠れる印字色の画像を作成可能となる。また、情報処理装置内にある電子文書の指定箇所を、色シートを重ねて目視した際に“所望の色または濃度に見える印字色”に変換してプリントすることが可能となる。
【００２７】
＜第三の実施形態＞
次に、紙原稿の指定箇所を、色シート９００を重ねて目視した時に所望の濃度に見える印字色に変換して印刷する第三の実施形態について説明する。図７は、“所望の濃度（隠れ具合）に見える印字色”を演算する方法のフロー図である。図７において、制御手段４０は、まずＳ７０１において、ユーザへ色シート登録動作の説明を操作手段２０に表示し、さらに、色シート９００を準備するようにユーザに指示する。次にＳ７０２にて、制御手段４０はテストシート４００を印刷する。Ｓ７０３では、ユーザに、印刷したテストシート４００に、ユーザの色シート９００を重ねて目視して、さらに所望の濃度のパッチを選択するように、制御手段４０は操作手段２０に指示を表示する。そして制御手段４０は、操作手段２０を介してユーザが所望する濃度のパッチの場所を入力させ、その箇所が有する濃度の値を取得する。Ｓ７０４で制御手段４０は、ユーザに、印刷したテストシート４００に、ユーザの色シート９００を重ねて読み取り手段３０に積置するように指示し、ユーザからの準備完了に関する指示を受信するまで、制御手段４０はＳ７０３を繰り返す。
【００２８】
また、ユーザの準備完了の指示を受信したら、制御手段４０はＳ７０５に進む。Ｓ７０５では、制御手段４０は読み取り手段３０にて、テストシート４００と色シート９００とを重ねた状態で画像を読み込み、ＲＡＭ４６に記憶する。次にＳ７０６において、制御手段４０はＲＡＭ４６に記憶した画像の各パッチ４０１Ｙ、４０１Ｍ、４０１Ｃ部分の濃度読み取り値と、Ｓ７０３にて指定された場所のパッチの濃度読み取り値をそれぞれ比較し、濃度差が最小のパッチを探す。ここで、濃度値は、以下の数式から算出する。
【００２９】
濃度値＝０．２９９Ｒ＋０．５８７Ｇ＋０．１１４Ｂ
（なお、ＲはＲｅｄ成分、ＧはＧｒｅｅｎ成分、ＢはＢｌｕｅ成分を示す）
Ｓ７０７で制御手段４０は、さらに、最小の濃度差のパッチが、濃度差なしかどうか判定する。濃度差なしのパッチがない場合はＳ７０８に進み、濃度差がないパッチがある場合は、Ｓ７０９に進む。Ｓ７０９において、制御手段４０は、該当するパッチを“所望の濃度印字色”と特定する。また、この特定により、色を再現するためのインクまたはトナー色材の配分量を決定する。なお、ここで“所望の濃度印字色”が複数見つかった場合は、制御手段４０は、テストシート４００印刷時に印字したパッチのグレイスケール（濃度）がもっとも濃い印字色を選ぶ。また、ここで、ユーザに複数の“所望の濃度印字色”を操作手段２０に提示して、ユーザに選択させても良い。次にＳ７１０で制御手段４０は、Ｓ７０９にて決定した“所望の濃度印字色”と、パッチのない地の部分の画像読み取り値を読み取った色シート９００の色として対応させて、ＲＡＭ４６に記憶する。制御手段４０は、ＲＡＭ４６に記憶し登録が終了したら、本動作フローを終了する。
【００３０】
一方、Ｓ７０８に進んだ場合、制御手段４０は、最小の濃度差のパッチが予め決めておいた許容値内かどうか判定する。ここで、濃度差が予め決めておいた許容値内のパッチである場合は、制御手段４０はＳ７１１に進み、該当するパッチの印字色を“所望の濃度印字色候補”と決定する。さらに、Ｓ７１２で制御手段４０は、“所望の濃度印字色候補”のパッチ印刷色と、それに近い色相の色、さらに濃度も多少変化させた色を算出して、それらの色をパッチとする第二のテストパターンを作成する。その後、Ｓ７０２に戻り、制御手段４０は新規に作成したテストシート４００を印刷する。そして、制御手段４０は、Ｓ７０３以降前述の動作を繰り返す。この繰り返しにより、ユーザが所望する濃度を精度よく再現するために、試行錯誤的に濃度を決定していくこととなる。また、Ｓ７０８にて、濃度差が予め決めておいた許容値内のパッチでない場合は、制御手段４０はＳ７１３に進み、“所望の濃度印字色候補”がないと判定する。そして、Ｓ７１４にてユーザに、読み込んだ色シート９００に対応する“所望の濃度印字色”が形成できないことを、操作手段２０に表示して、ユーザに知らせる。そして、制御手段４０は本動作フローを終了する。
【００３１】
以上、上述の第一乃至第三の実施形態によって作成される画像例を、図１０（１）に示し、その画像に色シート９００を重ねて目視した時の画像例を図１０（２）に示す。Ａ部は、色シート９００と同系色の文字であり色シート９００を重ねて目視した際に紛れて隠れる例である。Ｂ部からＤ部は、色シート９００を重ねて目視した際に所望の濃度に見える例である。Ｂ部とＣ部は、図１０（１）では同じ濃度値に見えるが、色相と濃度が異なる文字色である。そして、色シートを重ねた際の図１０（２）では、Ｂ部とＣ部は異なった濃度に見える。また、Ｄ部は、図１０（２）においてほとんど黒に見えるように、色シート９００と補色の関係にある印字色を、図１０（１）では地色に印字している。
【００３２】
以上により、“色シートに紛れて隠れる”モードと、“色シートで黒くなり隠れる”モード以外に色シートを重ねて“所望の濃度（隠れ具合）に見える”画像も作成可能となる。
【００３３】
＜第四の実施形態＞
次に、紙原稿に重ねて目視した際に、指定箇所が紛れて隠れるような色シート９００を作成して印刷する場合を説明する。なお、ここで作成する色シート９００は、ＯＨＰシートのような可視光を透過する透過シートに、可視光透過性のある記録材を塗布して出力されることを前提としている。ここでは、可視光透過性のある記録材を塗布して出力させた透過シートをテスト色シートと記載する。また、便宜上、テストシートに配置される色パッチを第一の色パッチとすると、色シートに配置される色パッチは第二の色パッチとなる。図８は、“透過シートへの塗布色”を演算する方法のフロー図である。図８において、制御手段４０は、まずＳ８０１において、ユーザへ色シート９００作成動作の説明を操作手段２０に表示する。次に、Ｓ８０２にて制御手段４０は、作成する色シート９００の概略の色を操作手段２０より入力するようにユーザに指示し、入力された値をＲＡＭ４６に記憶する。次にＳ８０３にて、制御手段４０は、Ｓ８０２にて入力された色シート９００の概略の色と同系色のテストパッチを塗布したテスト色シート９５０と、テストシート４００をそれぞれ印刷する。ここで印刷例を図１１（１）に示す。図１１（１）において、テストシート４００には、横長矩形のパッチを縦方向にＮ段に配列した第一の色パッチが、テスト色シート９５０には、縦長矩形のパッチを横方向にＭ列配列した第二の色パッチが印刷される。ここで、テストシート４００に印刷した第一の色パッチのうち、最上のパッチ（番号１）については、何も印刷せずに、記録媒体の地色のままとする。また、ここに示した変数Ｍ及びＮについては、本実施形態に係る画像形成装置が実現可能であれば、いくつであっても構わない。また、形状についても、矩形を縦横に並べて配置したものに限定されるわけではない。次にＳ８０４で制御手段４０は、印刷したテストシート４００に、印刷したテスト色シート９５０を重ねて読み取り手段３０に置くようにユーザに指示し、ユーザからの読み込み準備が完了した旨の指示を待つ。
【００３４】
ユーザから準備完了の指示を受信したら、制御手段４０はＳ８０５に進む。なお、ユーザからの準備完了の指示を受信するまで、制御手段４０は本ステップを繰り返す。Ｓ８０５では、制御手段は読み取り手段３０より、テストシート４００とテスト色シート９５０とを重ねた状態で画像を読み込み、ＲＡＭ４６に記憶する。なお、ここで、図１１（２）に示すようにテスト色シート９５０の第二のパッチをＭ列、テストシート４００の第一のパッチをＮ段に配列しているので、重ね合わせて目視すると、Ｍ＊Ｎ個のパッチができる。なお、ここでは以下の説明のために、便宜的に、各パッチにマトリックス状の記号を付ける。次にＳ８０６にて、制御手段４０は、ＲＡＭ４６に記憶した画像のテストパッチ部分の画像読み取り値より、第二の色パッチ毎にそれぞれ図３のフローの説明と同様にして、“隠れる印字色”となる第一のパッチ色を探す。具体的には、第二の色パッチＡについては、パッチＡ１の画像読み取り値と、Ａ２、Ａ３、、、ＡＮのそれぞれのパッチの画像読み取り値を比較して、色差が最小値のパッチを算出する。パッチＡについて、演算が終わったら、次にパッチＢ、パッチＣ、、、パッチＭと順次色差の最小値を演算していく。以下同様である。
【００３５】
Ｓ８０７で制御手段４０は、さらに、色差が最小値のパッチは、色差がないパッチであるか否かを判定し、色差がないパッチである場合は、Ｓ８０９に進む。Ｓ８０９にて、該当するパッチは、重ねて目視した時に紛れて隠れる部分であるので、制御手段４０は、テストシート４００の印字色とテスト色シート９５０の塗布色とを組み合わせて、“隠れる印字／塗布色”として決定する。また、この決定により、色を再現するためのインクまたはトナー色材の配分量を決定する。なお、ここで“隠れる印字／塗布色”が複数見つかった場合は、制御手段４０は、テストシート４００印刷時に印字したパッチの濃度値がもっとも濃い印字色を選ぶ。または、操作手段２０に複数の“隠れる印字／塗布色”候補色を提示してユーザに選択させても良い。次に、Ｓ８１０で制御手段４０は、Ｓ８０９にて決定した“隠れる印字／塗布色”をＲＡＭ４６に記憶する。登録が終了したら、制御手段４０は、本動作フローを終了する。
【００３６】
一方、Ｓ８０７にて色差が最小値のパッチが、色差がないパッチでない場合、制御手段４０は、Ｓ８０８に進み、色差が予め決めておいた許容値内のパッチであるか否かを判定する。ここで、色差が予め決めておいた許容値内のパッチである場合、制御手段４０はＳ８１１に進み、テストシート４００の該当するパッチの印字色とテスト色シート９５０の該当する塗布色を“隠れる印字／塗布色候補”と決定する。そして、Ｓ８１２で制御手段４０は、“隠れる印字／塗布色候補”のパッチ印刷色と塗布色、さらにそれぞれに近い色相の色、さらにテストシート４００はやや薄い色、テスト色シート９５０はやや濃い色を算出する。そして、それらの色をパッチとして変更した第二のテストパターンをテストシート４００用と、テスト色シート９５０用とにそれぞれ作成する。その後、制御手段４０はＳ８０３に戻り、新規に作成したテストシート４００とテスト色シート９５０を印刷する。便宜上、はじめに印刷したテスト色シートを第一のテスト色シートとすると、新規に作成したテスト色シートは第二のテスト色シートとなる。そして、制御手段４０はＳ８０４以降の前述の動作を繰り返す。また、Ｓ８０８にて、色差が予め決めておいた許容値内のパッチでない場合、制御手段４０はＳ８１３に進み、“隠れる印字／塗布色候補”がないと判定する。そしてＳ８１４では、制御手段４０は、Ｓ８０２にてユーザが指定した概略のテスト色シート９５０の色に対応する“隠れる印字色”が形成できないことを操作手段２０に表示して、ユーザに通知する。そして、制御手段４０は本動作フローを終了する。なお、上記において、Ｓ８０７は色差があるか否かを基準として判定し、Ｓ８０８においては、所定の許容値を用いて判定している。しかし、Ｓ８０７においても色差が無いとみなせる程度の許容値を定義しておき、判定してもよい。
【００３７】
以上説明したように、第四の実施形態を用いることで、重ねて目視すると所望の印字色が紛れて隠れる色シート９００を作成して印刷することが可能となる。
【００３８】
以上の説明では第一、第三、及び第四の実施形態は、記録媒体より画像形成装置にて印字色を変換する手法について述べた。また、第二の実施形態では電子文書より印字色を変換する手法について述べた。しかし、いずれの構成においても、ホストコンピュータ１０からの印字指示を受け付け可能であり、また、読み取り手段３０、５０１を具備し原稿読み取りが可能である。よって、原稿の入力方法において紙媒体であっても、電子文書であっても同様な効果を実現可能である。また、それぞれの実施形態を組み合わせて実現してもよい。
【００３９】
＜他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011071661.tif 000003
【図２】
2011071661.tif 000004
【図３】
2011071661.tif 000005
【図５】
2011071661.tif 000006
【図６】
2011071661.tif 000007
【図７】
2011071661.tif 000008
【図８】
2011071661.tif 000009
【図４】
2011071661.tif 000010
【図９】
2011071661.tif 000011
【図１０】
2011071661.tif 000012
【図１１】
2011071661.tif 000013